(57)【要約】【課題】窓やドア等に予め組み込むことができる内蔵型で構成することで、外部から発見しにくく、また、外部配線工事も不要であるため、後付けも可能であり、しかも、発信器毎にＩＤを設定できるため、受信側で発信箇所を瞬時に特定することができると共に、集中セキュリティシステムとも容易にジョイント可能であり、さらには、外部電源を必要としないので、外部電源が遮断された場合でも機能させることができる警報装置を提供する。【解決手段】開閉可能な対象物に、衝突荷重により発電可能な圧電発電装置及びこの圧電発電装置の電源により信号を発信する発信器を配設し、上記圧電発電装置は、対象物の開閉作動に伴ない圧電素子に衝突荷重を作用させて発電させるように警報装置を構成した。【選択図】　　　図１
2004046719.tif 000002
【特許請求の範囲】
【請求項１】
開閉可能な対象物に、衝突荷重により発電可能な圧電発電装置及びこの圧電発電装置の電源により信号を発信する発信器を配設し、上記圧電発電装置は、対象物の開閉作動に伴ない圧電素子に衝突荷重を作用させて発電させるように構成されていることを特徴とする警報装置。
【請求項２】
前記圧電発電装置は、回転作動により対象物を開閉自在にセット可能な可能なロック装置に取り付けられており、該圧電発電装置は、ロック装置のロック解除方向への作動に伴ない圧電素子に衝突荷重を作用させて発電させるように構成したことを特徴とする請求項１に記載の警報装置。
【請求項３】
前記圧電発電装置は、対象物が開閉移動する軌跡内に配設された固定体に衝突自在に配設されており、対象物の開動方向への作動に伴ない圧電素子を固定体に衝突させることで発電させるように構成されていることを特徴とする請求項１に記載の警報装置。
【請求項４】
前記圧電発電装置及びこの圧電発電装置の電源により信号を発信する発信器は、前記対象物をスライドさせる転動体に配設して構成したことを特徴とする請求項１に記載の警報装置。
【請求項５】
前記圧電発電装置は、板バネと、該板バネの一端部に揺動自在に固定されたケースと、該ケース内に配設された圧電素子と、該圧電素子に応力を付与する球体と、上記ケース内に配設された整流回路と、から構成されていることを特徴とする請求項１乃至請求項４のいずれかに記載の警報装置。
【請求項６】
前記圧電発電装置の板バネには、該板バネの撓み変形を阻止し、或は、撓み変形を許容するストッパが付設されていることを特徴とする請求項５に記載の警報装置。
【請求項７】
前記圧電発電装置のケースにはマグネットを配設し、該マグネットは、ロック装置がロック状態にセットされているときにロック作動部材と吸着して揺動不能にセットされることを特徴とする請求項２、請求項５または請求項６のいずれかに記載の警報装置。
【請求項８】
前記圧電発電装置は、前記ロック装置をロック解除方向へと作動させたときに回転するドラムと、該ドラムの回転によりケース内の金属球を移動させ、該金属球の衝突により歪んで電流を発生させる圧電素子からなる発電体と、から構成されてなることを特徴とする請求項２に記載の警報装置。
【請求項９】
前記圧電発電装置は、前記開閉対象物に回転自在に軸支された支持軸と、該支持軸に放射状に配設された複数の圧電素子と、上記支持軸と各圧電素子との間に形成された通路内を転動し上記各圧電素子に衝突荷重を負荷する球体と、から構成されていることを特徴とする請求項４に記載の警報装置。
【請求項１０】
請求項９に記載の圧電発電装置は、前記転動体内に配設されていることを特徴とする警報装置。
【請求項１１】
請求項９に記載の圧電発電装置の支持軸と前記転動体の回転軸とを索条体で連結し、上記転動体の回転力が上記支持軸に伝達されることを特徴とする警報装置。
【請求項１２】
請求項１乃至請求項１１のいずれかに記載の対象物は、窓或はドアであることを特徴とする警報装置。
【発明の詳細な説明】
【０００１】
【発明の属する技術分野】
この発明は、窓のロックや窓のレール部、ドアノブ或はドア開閉速度調節機構部等に配設され、外部電力を利用することなく、上記窓やドアの不正開閉状態を検知することができる警報装置に関する。
【０００２】
【従来技術とその課題】
従来、窓やドア等に取り付けられる警報装置（セキュリティ装置）は、窓やドア等のロック部等に後付けされる方式のものが殆どであるため、外側から容易に発見されやすく、電源配線も必要であり、また、一家屋全部の窓やドアにこの従来の警報装置を取り付ける場合には、コストが非常に高くなる、という問題を有していた。さらに、上記従来の警報装置にあっては、同種のものを取り付けた場合に、同じ形態のアラームであるため、開閉箇所の特定を瞬時に判断することが難しく、また、単体で機能するため、他のセキュリティシステムと複合させることが困難である、という課題を有していた。
【０００３】
この発明は、かかる現状に鑑み創案されたものであって、その目的とするところは、窓やドア等に予め組み込むことができる内蔵型で構成することで、外部から発見しにくく、また、外部配線工事も不要であるため、後付けも可能であり、しかも、発信器毎にＩＤを設定できるため、受信側で発信箇所を瞬時に特定することができると共に、集中セキュリティシステムとも容易にジョイント可能であり、さらには、外部電源を必要としないので、外部電源が遮断された場合でも機能させることができる警報装置を提供しようとするものである。
【０００４】
【課題を解決するための手段】
上記目的を達成するため、この発明に係る警報装置は、請求項１に記載したように、開閉可能な対象物に、衝突荷重により発電可能な圧電発電装置及びこの圧電発電装置の電源により信号を発信する発信器を配設し、上記圧電発電装置は、対象物の開閉作動に伴ない圧電素子に衝突荷重を作用させて発電させるように構成されていることを特徴とするものである。
【０００５】
具体的には、上記圧電発電装置は、請求項２に記載したように、回転作動により対象物を開閉自在にセット可能な可能なロック装置に取り付けられており、該圧電発電装置は、ロック装置のロック解除方向への作動に伴ない圧電素子に衝突荷重を作用させて発電させるように構成されていることを特徴とするものである。
【０００６】
また、この発明にあっては、請求項２に記載した構成ではなく、請求項３に記載したように、上記圧電発電装置を、対象物が開閉移動する軌跡内に配設された固定体に衝突自在に配設し、対象物の開動方向への作動に伴ない圧電素子を固定体に衝突させることで発電させるように構成することもできる。
【０００７】
さらに、この発明にあっては、請求項２または請求項３に記載した構成の他に、請求項４に記載したように、上記圧電発電装置及びこの圧電発電装置の電源により信号を発信する発信器を、前記対象物をスライドさせる転動体に配設して構成することもできる。
【０００８】
この圧電発電装置は、具体的には、請求項５に記載したように、板バネと、該板バネの一端部に揺動自在に固定されたケースと、該ケース内に配設された圧電素子と、該圧電素子に応力を付与する球体と、上記ケース内に配設された整流回路と、から構成されていることを特徴とするものである。
【０００９】
この場合、上記圧電発電装置の板バネには、請求項６に記載したように、該板バネの撓み変形を阻止し、或は、撓み変形を許容するストッパを付設することで、警報装置の作動・不作動を簡単にコントロールすることができる。
【００１０】
そして、この発明にあっては、上記圧電発電装置のケースに、請求項７に記載したように、マグネットを配設し、該マグネットは、ロック装置がロック状態にセットされているときにロック作動部材と吸着して揺動不能にセットできるように構成するのが望ましい。
【００１１】
尚、請求項２に記載の警報装置にあっては、上記圧電発電装置を、請求項８に記載したように、上記ロック装置をロック解除方向へと作動させたときに回転するドラムと、該ドラムの回転によりケース内の金属球を移動させ、該金属球の衝突により歪んで電流を発生させる圧電素子からなる発電体と、から構成するのが望ましい。
【００１２】
また、請求項４に記載の警報装置にあっては、請求項９に記載したように、上記圧電発電装置を、前記開閉対象物に回転自在に軸支された支持軸と、該支持軸に放射状に配設された複数の圧電素子と、上記支持軸と各圧電素子との間に形成された通路内を転動し上記各圧電素子に衝突荷重を負荷する球体と、から構成するのが望ましい。
【００１３】
この場合、請求項９に記載の圧電発電装置は、請求項１０に記載したように、前記転動体内に配設し、或は、請求項１１に記載したように、圧電発電装置の支持軸と前記転動体の回転軸とを索条体で連結し、上記転動体の回転力が上記支持軸に伝達するように構成するのが望ましい。
【００１４】
以上のように構成された警報装置は、好ましくは、請求項１２に記載したように、窓或はドアに配設することで、配線が不要で、外部から発見され難い警報装置を廉価に取り付けることができる。
【００１５】
【発明の実施の形態】
次に、この発明の実施の形態例について図面を参照しつつ詳細に説明する。
【００１６】
図１乃至図４は、この発明の実施の第１形態例に係る警報装置である窓ロック装置を示しており、該窓ロック装置１Ａは、窓枠に軸２を介して回転自在に軸支された略半円板状のロック体３と、該ロック体３を図１に示すロック位置から図４に示すアンロック位置へと回転操作する操作レバー４と、このロック体３の開閉作動により作動自在な圧電発電装置１０と、上記圧電発電装置１０の板バネ１１の撓み変形を阻止可能なストッパ５と、から構成されている。尚、上記軸２とロック体３及び操作レバー４からなる窓ロック装置は、公知のものと同様に構成され配置されており、上記操作レバー４を回動操作することで、窓をロック状態或はアンロック状態にセット可能に構成されている。
【００１７】
また、上記圧電発電装置１０は、図１、図２及び図４に示すように、板バネ１１と、該板バネ１１の一端部（この形態例では上端部）に揺動自在に固定された金属製の中空箱状のケース１２と、図３に示すように、上記ケース１２内に対設されたピエゾ素子１３，１３と、該ピエゾ素子１３，１３に衝撃応力を付与する鉄球１４と、上記ケース１２内に配設された整流回路１５及び発信器１６と、から構成されており、上記ピエゾ素子１３，１３は、クッション材１７，１７に保持されていると共に、上記鉄球１４は、ケース１２内に形成された通路１８に沿って直線的に往復動するように収容されている。尚、図中符号Ｍは、上記ケース１２の上面部に突設されたマグネットを、符号１９は、圧電発電装置１０の板バネ１１の下端部を窓ロック装置１Ａに取り付けるため部材であり、該部材は、マグネット或はネジ止め又は接着テープ等で固定することができるように構成されている。
【００１８】
そして、上記ストッパ５は、軸６を介して回転可能に軸支されており、ストッパ５の先端部が図１に示すように板バネ１１に接触しているときには、該板バネ１１の撓み変形が阻止されるため、ケース１２の揺動が規制され、従って、該圧電発電装置１０は発電作用をしないが、上記ストッパ５の先端部が図４に示すように接触しない状態では、板バネ１１の撓み変形が許容されるため、ケース１２は自由に揺動可能となるため、圧電発電装置１０による発電作用が行なわれ、従って、該発電された電力によって特定の信号を発信器１６から発信するように構成されている。
【００１９】
このように構成されてなる窓ロック装置１Ａにあっては、操作レバー４を操作して上記ロック体３を図１に示すロック位置にセットする（この場合、ストッパ５は、図１に示す板バネと接触状態にセットし、或は、非接触状態にセットしていても構わない）。このとき、圧電発電装置１０のケース１２に突設されたマグネットＭが、上記ロック体３の金属吸着部３Ａに吸着された状態にセットされる。
【００２０】
この状態から操作レバー４をアンロック方向へ回動すると、上記ロック体３の金属吸着部３ＡとマグネットＭとの吸着状態が解除されるため、ケース１２は、その自重によって揺動を開始し、板バネ１１の弾発力によって左右に揺動を繰り返す。勿論、このとき、ストッパ５は、板バネ１１と接触していないものとする。
【００２１】
このようにケース１２が往復揺動することによって、該ケース１２内の鉄球１４は、上記通路１８内を直線状に往復移動してピエゾ素子１３，１３に衝突し、この衝突応力を受けてピエゾ素子１３，１３が発電を行ない、発電された電流は整流回路１５で整流されて発信器１６を作動させ、該発信器１６は、特定の周波数からなる電波（不正侵入告知信号）を、図示しない集中セキュリティ管理装置の受信機へと送信する。尚、この形態例では、ピエゾ素子１３，１３が応力を受け発電すると略同時に発信器１６が作動して信号を発信するように構成されている。
【００２２】
図５乃至図８は、この発明の実施の第２形態例に係る窓ロック装置１Ｂを示しており、該窓ロック装置１Ｂは、窓枠に軸２を介して回転自在に軸支された略半円板状のロック体３と、該ロック体３を図５に示すロック位置から図８に示すアンロック位置へと回転操作する操作レバー４と、このロック体３の開閉作動により発電・発信作動する圧電発電装置２０と、から構成されている。尚、上記軸２とロック体３及び操作レバー４からなる窓ロック装置は、公知のものと同様に構成され配置されており、上記操作レバー４を回動操作することで、窓をロック状態或はアンロック状態にセット可能に構成されている。
【００２３】
また、この形態例に係る上記圧電発電装置は、図６と図７に示すように、ハウジング３１と、このハウジング３１に軸３２を介して揺動自在に軸支された略扇形の揺動体３３と、この揺動体３３に連設された略つ字状のスイッチ体３０と、上記揺動体３３の開口部上辺部３４に形成された直列の歯車３５と、上記ハウジング３１に軸３６を介して回動自在に軸支され、かつ、外周に上記歯車３５と噛合する歯車３７が形成されたドラム３８と、上記揺動体３３に一端部が係止され、かつ、他端部が上記ハウジング３１の延長片部３１Ａに係止されたコイルバネ３９と、から構成されており、該コイルバネ３９は、上記ロック体３がロック（図５に示す状態）されている状態では、伸びきった状態となるようにセットされ、かつ、上記ロック体３がアンロック（図８に示す状態）では、上記コイルバネ３９が縮むことで、上記揺動体３３が図８矢印Ｘ方向へ回動するように取り付けられている。
【００２４】
さらに、上記ドラム軸３６の他端部には、発電体２０が連設されている。該発電体２０は、箱状に形成された縦長状のケース２１と、該ケース２１内の対向部に配設された上記ピエゾ素子（圧電素子）２２，２２と、上記ピエゾ素子２２，２２を叩打する金属球２３と、から構成されており、該金属球２３は、上記ピエゾ素子２２，２２の略中央部を叩打するように形成された円筒状通路２４内を往復動可能に収納されて構成されている。
【００２５】
この形態例に係る窓ロック装置１Ｂは、以上のように構成されているので、操作レバー４を操作して上記ロック体３を図５に示すロック位置にセットする。このとき、上記スイッチ体３０の先端部がロック体３の係止端部３Ａと衝合するので、上記コイルバネ３９は、その付勢力に抗して伸びきった状態にセットされる。
【００２６】
この状態から操作レバー４を図８に示すアンロック方向へ回動すると、上記ロック体３の係止端部３Ａと上記スイッチ体３０との衝合状態が解除されるため、上記コイルバネ３９が収縮し、このコイルバネ３９の収縮力によって、上記揺動体３３が図８矢印Ｘ方向に回動するので、該揺動体３３に形成された歯車３５と噛合する歯車３７を有するドラム３８が図８時計方向に回転する。
【００２７】
このようにしてドラム３８が回転すると、ケース２１内の金属球２３が円筒状通路２４内を上下方向に落下し、これによりピエゾ素子２２，２２が変位し（歪み）、発電が行なわれ、この発電された電流によって発信機１６が起動されて特定信号を発信する。
【００２８】
尚、この発明において用いられる圧電発電装置のピエゾ素子で発電される電流は、特に図示はしないが、整流手段で整流し、コンデンサでチャージする。そして、ダイオードで電圧値が決定され、上記電圧切り換え手段により、所望の電圧を発信機１６へと供給するように構成されている。
【００２９】
図９と図１０は、この発明の実施の第３形態例に係る窓警報装置１Ｃを示しており、この形態例に係る窓警報装置１Ｃは、引き戸式のスライド自在な窓４０の下辺部に軸４４を介して回動自在に軸支されたローラ４１Ａ，４１Ｂの一方のローラ４１Ａと、該窓４０の下枠部４２であって上記ローラ４１Ａの近傍に回転自在に軸４３を介して回転可能に軸支された圧電発電装置５０と、上記軸４３と軸４４に固着されたプーリ４５，４６間に巻装された索条体であるゴムベルト４７と、から構成されており、窓４０をスライドさせて開けたときに、上記ローラ４１Ａが回動することにより、該回転力がゴムベルト４７を介して圧電発電装置５０に伝達されて回転することで発電され、この発電された電流で特定信号（警告信号）を発信する発信器するように構成されている。
【００３０】
そして、この形態例に係る窓警報装置１Ｃの圧電発電装置５０は、矩形状のケース５１と、該ケース５１内であって上記軸４３を中心に十字状に配設された４個のピエゾ素子（圧電素子）５２，５２，５２，５２と、上記ピエゾ素子５２，５２，５２，５２と上記軸４３との間に形成された通路５４，５４，５４，５４内を往復動自在に収容された金属球５３と、から構成されており、該金属球５３は、上記ケース５１が軸４３を中心として回転したときに、上記通路５４，５４，５４，５４内を往復動して上記ピエゾ素子５２，５２，５２，５２の略中央部を叩打するように構成されている。尚、本形態例における上記ピエゾ素子５２，５２，５２，５２の基本的な構成、発電作用及びこの発電作用により発電された電力を利用して特定信号を発信器で発信する構成は、上記第１及び第２形態例と同様であるので、その詳細な説明をここでは省略する。
【００３１】
図１１は、上記第３形態例の変形例（第４形態例）を示しており、この形態例では、第３形態例に係る圧電発電装置５０をローラ４１Ａ或は４１Ｂ内に組み込んで構成した他は、他の構成・作用は第３形態例と同様に構成されているので、図面には第３形態例で用いた符号と同一の符号を付して、その詳細な説明をここでは省略する。
【００３２】
図１２乃至図１４は、この発明の実施の第５形態例に係るドア警報装置１Ｄを示しており、この形態例では、ドアの開閉速度調整機構６０に取り付けられた中空状のケース６１と、該ケース６１内に収納された第１形態例と同様に構成されてなる圧電発電装置１０と、から構成されており、該圧電発電装置１０は、板バネ１１と、該板バネ１１の上端部に揺動自在に固定された金属製の中空箱状のケース１２と、該ケース１２の上面部に突設され上記ケース６１の上部開口部６２からドア上側金属枠６３に吸着自在なマグネットＭと、上記ケース６１の下側長溝６４に沿ってスライド自在に配設されたストッパ６５と、から構成されている。
【００３３】
尚、この形態例で用いられる上記ケース１２には、第１形態例で用いられたケースと同様にピエゾ素子と、該ピエゾ素子に衝撃応力を付与する鉄球と、上記ケース内に配設された整流回路及び発信器と、から構成されており、上記ピエゾ素子は、クッション材に保持されていると共に、上記鉄球は、ケース１２内に形成された通路に沿って直線的に往復動するように収容されている。
【００３４】
また、図中符号Ｍは、上記ケース１２の上面部に突設されたマグネットＭは、ドアを閉めているときには、ドア上側金属枠６３に吸着されてケース１２がみだりに揺動しないように保持し、ドアを開けたときには上記吸着状態が解除されるので、ドアの開閉動によってケース１２が揺動し、発電するように構成されている。
【００３５】
勿論、このとき、上記ケース６１の下側長溝６４に沿ってスライド自在に配設された逆Ｌ字状のストッパ６５の先端部は、上記板バネ１１に接触し、該板バネ１１の撓み変形が阻止されているものとする。尚、上記ストッパ５の先端部が板バネ１１に接触しない状態では、板バネ１１の撓み変形が許容されるため、ケース１２は揺動可能となるため、圧電発電装置１０による発電作用が行なわれ、従って、該発電された電力によって特定の信号を発信器から発信するように構成されているおり、居住者が本警報装置１ＤのＯＮ／ＯＦＦ制御をコントロールすることができるように構成されている。
【００３６】
図１５乃至図１６は、この発明の実施の第６形態例に係る窓警報装置１Ｅを示しており、この形態例では、引き戸方式の窓の窓上枠７０に窓開口７３（図１６参照）方向に突出する固定ピン７１を固定すると共に、スライド窓ガラス７２の枠部に第１形態例と同様に構成されてなる圧電発電装置１０を配設し、上記スライド窓ガラス７２を窓開放方向へスライドさせることで、上記圧電発電装置１０のケース１２が、図１６に示すように、固定ピン７１と衝合し、さらに、スライド窓ガラス７２が移動すると、上記ケース１２と固定ピン７１の係合状態が解除されるため、上記ケース１２は、図１７に示すように、板バネ１１の弾性によって揺動するので、第１形態例と同様に、発電・発信作動するように構成されている。
【００３７】
勿論、上記固定ピン７１と圧電発電装置１０は、窓枠の上枠７０部分に配設する場合には限定されず、下枠部分に配設してもよく、或は、窓がヒンジ開閉方式である場合には、窓枠の回転軌跡の途中に固定ピンを配設して構成しても同様の作用・効果を得ることができる。
【００３８】
尚、この形態例で用いられる上記ケース１２には、第１形態例で用いられたケースと同様にピエゾ素子と、該ピエゾ素子に衝撃応力を付与する鉄球と、上記ケース内に配設された整流回路及び発信器と、から構成されており、上記ピエゾ素子は、クッション材に保持されていると共に、上記鉄球は、ケース１２内に形成された通路に沿って直線的に往復動するように収容されている。
【００３９】
そして、上記各形態例に係る警報装置を複数の異なる場所に配置する場合には、各警報装置の発信器毎に異なるＩＤを設定し、受信側で発信場所を瞬時に特定することができるように構成することができる。
【００４０】
【発明の効果】
この発明に係る警報装置は、以上説明したように、窓やドア等に予め組み込むことができる内蔵型で構成したので、外部から発見しにくく、また、外部配線工事も不要であるため、後付けも可能であり、しかも、発信器毎にＩＤを設定できるため、受信側で発信箇所を瞬時に特定することができると共に、集中セキュリティシステムとも容易にジョイント可能であり、さらには、外部電源を必要としないので、外部電源が遮断された場合でも機能させることができる等、幾多の優れた効果を奏する。
【図面の簡単な説明】
【図１】この発明の実施の第１形態例に係る窓ロック装置のロック部の概略的な構成を示すロック状態説明図である。
【図２】同窓ロック装置の圧電発電装置の構成説明図である。
【図３】同圧電発電装置の発電部の構成を示す断面図である。
【図４】同窓ロック装置のロック部のアンロック状態説明図である。
【図５】この発明の実施の第２形態例に係る窓ロック装置のロック部の概略的な構成を示すロック状態説明図である。
【図６】同窓ロック装置の圧電発電装置の構成を示す側面図である。
【図７】同圧電発電装置の背面図である。
【図８】同窓ロック装置のロック部のアンロック状態説明図である。
【図９】この発明の実施の第３形態例に係る窓警報装置の取付状態を示す説明図である。
【図１０】同窓警報装置の圧電発電装置の構成を示す説明図である。
【図１１】この発明の実施の第４形態例に係る窓警報装置の要部構成を示す説明図である。
【図１２】この発明の実施の第５形態例に係るドア警報装置の配設状態を示す要部平面説明図である。
【図１３】同ドア警報装置の要部の構成を示す断面図である。
【図１４】同ドア警報装置のドア開作動状態を示す平面説明図である。
【図１５】この発明の実施の第６形態例に係る窓警報装置の配設状態を示す要部説明図である。
【図１６】同窓警報装置のスライド窓ガラスを開方向へ移動させたときの作動状態を示す説明図である。
【図１７】同窓警報装置の圧電発電装置の作動状態を示す説明図である。
【符号の説明】
１Ａ，１Ｂ　窓ロック装置（警報装置）
１Ｃ，１Ｅ　窓警報装置
１Ｄ　ドア警報装置
３　ロック体
４　操作レバー
５，６５　ストッパ
１０，５０　圧電発電装置
１１　板バネ
１２，２１，５１，６１　ケース
１３，２２，５２　ピエゾ素子
１４　鉄球
１５　整流回路
１６　発信器
１８，２４，５４　通路
２０　発電体
２３，５３　金属球
３０　スイッチ体
３１　ハウジング
３３　揺動体
３５，３７　歯車
３８　ドラム
３９　コイルバネ
４０　窓
４１Ａ，４１Ｂ　ローラ
４２　窓の下枠部
４３，４４　軸
４５，４６　プーリ
４７　ゴムベルト（索条体）
６０　ドアの開閉速度調整機構
６３　ドア上側金属枠
６４　下側長溝
７０　窓上枠
７１　固定ピン
７２　スライド窓ガラス
７３　窓開口
Ｍ　マグネット
【図１】
2004046719.tif 000003
【図２】
2004046719.tif 000004
【図３】
2004046719.tif 000005
【図４】
2004046719.tif 000006
【図５】
2004046719.tif 000007
【図６】
2004046719.tif 000008
【図７】
2004046719.tif 000009
【図８】
2004046719.tif 000010
【図９】
2004046719.tif 000011
【図１０】
2004046719.tif 000012
【図１１】
2004046719.tif 000013
【図１２】
2004046719.tif 000014
【図１３】
2004046719.tif 000015
【図１４】
2004046719.tif 000016
【図１５】
2004046719.tif 000017
【図１６】
2004046719.tif 000018
【図１７】
2004046719.tif 000019